(57)【要約】【課題】  複数の線材によって形成される立体的な造形物を制作する際に、この線材同士を高度な技術を要することなく容易に接続することができる線材接続具の提供を課題とする。【解決手段】  立体的な造形物５を構成する複数の線材２の夫々を挿通可能な筒状を呈すると共に塑性変形によって線材２に圧着し、複数の線材２を接続する複数の支持部４、を具備することを特徴とする。なお、複数の支持部４は、全体の外形が略十字状、略Ｔ字状、または略Ｌ字状のいずれかの形状を呈するように構成されていることを特徴とするものとしてもよい。【選択図】  図１
2006297438.tif 000002
【特許請求の範囲】
【請求項１】
立体的な造形物を構成する複数の線材の夫々を挿通可能な筒状を呈すると共に塑性変形によって前記線材に圧着し、複数の前記線材を接続する複数の支持部、を具備することを特徴とする線材接続具。
【請求項２】
複数の前記支持部は、
全体の外形が略十字状、略Ｔ字状、または略Ｌ字状のいずれかの形状を呈するように構成されていることを特徴とする請求項１に記載の線材接続具。
【発明の詳細な説明】
【技術分野】
【０００１】
本発明は、線材接続具に関するものであり、詳しくは、立体的な造形物を構成する複数の線材を接続するための線材接続具に関するものである。
【背景技術】
【０００２】
従来、鑑賞又は装飾等を目的に屋内又は屋外に設置される立体的な造形物として、金属製の線材を用いて立体的な骨格を形成し、この骨格にＬＥＤ（発光ダイオード）を配してなるオブジェやモニュメント等が知られている。この造形物は、直線状又は湾曲状の線材を組み合わせ、ハンダ付けを用いて互いに接続することによって外形形状を形成しているものが一般的である。
【０００３】
上記従来技術は、一般的な事項であり、本出願人は、本出願時において、この従来技術を特定する文献を特に知見していない。
【発明の開示】
【発明が解決しようとする課題】
【０００４】
しかしながら、ハンダ付けによって複数の線材を接続する場合、ハンダ付けを行った以後における微調整等の接続位置の変更は大変困難である。このため、立体的な造形物として所望の骨格を形成するためには、全体のバランスを整えつつ各線材の接続位置を決定し、その都度的確に接続していかなければなかった。特に、湾曲状の線材を接続する際には、線材の接続位置の位置決めに加え、線材の湾曲方向も考慮する必要があった。これらの作業は制作者の経験に基づくところが多いものであり、経験の浅い者や初心者には大変困難な作業であった。
【０００５】
そこで、本発明は、上記実情に鑑みて、複数の線材によって形成される立体的な造形物を制作する際に行う線材の接続作業を、初心者等であっても容易に行うことができる線材接続具の提供を課題とするものである。
【課題を解決するための手段】
【０００６】
上述した課題を解決するために本発明の採った手段は、
「立体的な造形物を構成する複数の線材の夫々を挿通可能な筒状を呈すると共に塑性変形によって前記線材に圧着し、複数の前記線材を接続する複数の支持部、を具備することを特徴とする線材接続具」
である。
【０００７】
ここで、線材としては、造形物の骨格を形成するための充分な強度を呈するものであり、例えば、鋼、銅、ステンレス、真鍮、又はアルミニウム等の金属によって直径約２ｍｍ〜１０ｍｍ程度の太さを有するもの等が挙げられる。また、塑性変形可能な素材としては、ステンレス、鉄、真鍮、亜鉛、銅、又はアルミニウム等の金属が挙げられる。
【０００８】
上記構成の線材接続具では、線材を挿通可能な筒形状を呈する複数の支持部を備えている。さらに、この支持部は、塑性変形可能な素材によって形成されている。これにより、複数の支持部の夫々に線材を挿通させた状態でペンチ等の挟み工具を用いてこの支持部を線材に圧着するように塑性変形させることによって、複数の線材は複数の支持部の夫々に固定され、この複数の線材同士が接続されることとなる。
【０００９】
この場合、支持部を線材に圧着していない状態であっても、複数の線材を複数の支持部の夫々に挿通させることによって、その線材同士を互いに近接させた状態が保持される。さらに、圧着していない状態では、線材接続具を、支持部に挿通した線材に沿って移動させることが可能である。このため、複数箇所において線材を接続する必要がある場合に、複数個の線材接続具を用いて夫々の接続場所にて線材同士を近接させた状態にし、これらの線材接続具を線材に沿って移動させることによって全体のバランスを整えた後に、複数の線材接続具夫々の各支持部を圧着して線材同士を接続することも可能である。これによって、線材の接続位置を一本毎に決定し、その都度接続していく必要はなくなる。したがって、上記構成の線材接続具によれば、複数の線材によって形成される立体的な造形物を制作する際に行う線材の接続作業を、初心者等であっても容易に行うことができる。
【００１０】
なお、支持部の個数としては、二以上の複数個であれば特に限定されるものではない。また、線材接続具全体の形状としては、特に限定されるものではなく、二個の支持部を直列に配置することによって一次元的に構成されているもの、二個の支持部を交叉して配置することによって二次元的に構成されているもの、又は、三個以上の支持部を立体的に配置することによって三次元的に構成されているものが挙げられる。特に、二個の支持部を直列に配置することによって構成されているものの場合には、線材同士を長さ方向に接続することが可能である。
【００１１】
また、上述のように、支持部は塑性変形可能な素材によって形成されているため、支持部を塑性変形させて方向を変更することによって、固定した線材の方向の微調整等の変更を行うことが可能である。したがって、造形物制作の作業性の向上を図ることができる。
【００１２】
上述の線材接続具において、
「複数の前記支持部は、
全体の外形が略十字状、略Ｔ字状、または略Ｌ字状のいずれかの形状を呈するように構成されていることを特徴とする線材接続具」
とすることもできる。
【００１３】
上記構成の線材接続具では、複数の支持部は、全体の形状が略十字状、略Ｔ字状、または略Ｌ字状を呈するように構成されている。これらの形状を呈して構成される線材接続具は、二本の線材を接続する際に使用することが好適であり、支持部の夫々が他の支持部に対して突出する部分を有するため、その部分を挟み工具による圧着部として使用することが可能である。したがって、上記構成の線材接続具によれば、二本の線材同士を容易に所望の状態に接続することができる。
【発明の効果】
【００１４】
上述の通り、本発明によれば、線材を挿通可能な筒形状を呈すると共に塑性変形可能である筒形状の支持部を複数備えることにより、この複数の支持部を、夫々が有する挿通孔に線材を挿通した状態で塑性変形させることで線材同士が接続されることが可能となり、その結果、複数の線材によって形成される立体的な造形物を制作する際に行う線材の接続作業を、初心者等であっても容易に行うことができる線材接続具とすることができる。
【発明を実施するための最良の形態】
【００１５】
以下、本発明の実施形態である線材接続具について、図１に基づいて説明する。
【００１６】
図１（ａ）に示すように、線材接続具１は、塑性変形可能なアルミニウムを素材とすると共に線材２を挿通可能な挿通孔３を有して円筒形状に形成された二個の支持部４から構成されるものである。さらに詳しく説明すると、図１（ｂ）に示すように、この二個の支持部４は、全体が略十字形状を呈するように交叉して当接させた状態で配置され、当接部分４ａにて溶接によって連結されたものである。なお、支持部４の寸法としては、特に限定されるものではないが、本実施形態においては、直径約５ｍｍ、長さ約２０ｍｍの外形寸法を有するものを使用することとする。
【００１７】
さらに、線材接続具１によって接続される線材２について詳しく説明する。線材２は、図２に例示するような立体的な造形物５を制作する際に使用されるものであり、鋼又はチタン等の硬質の素材によって形成される一般的な部材である。なお、線材２の寸法としては、特に限定されるものではないが、本実施形態においては、直径約２ｍｍを有した線状の部材を、長さ約５０〜２００ｃｍに切断したものを使用することとする。
【００１８】
次に、本実施形態の線材接続具１によって線材を接続する手順について説明する。
【００１９】
まず、図１（ａ），（ｂ）に示すように、線材２を二個の支持部４のうち一方の支持部４の挿通孔３に挿通する。そして、ペンチ等の挟み工具（図示しない）を用いて挿通孔３の内周面が線材２の外周面に当接し、圧着するまで塑性変形させる。これにより、線材２は支持部４に固定される（図１（ｃ）参照）。
【００２０】
以上の作業を他方の支持部４に対しても行い、支持部４に線材２を固定することによって、二本の線材２は接続されることとなる。
【００２１】
次に、一本の線材２１に対して交差する線材２２を複数箇所（本実施形態においては三箇所）に接続する手順について説明する。
【００２２】
まず、線材２１を複数個（本実施形態においては三個）の線材接続具１における夫々一方の支持部４の挿通孔３に挿通させた後に、夫々他方の支持部４の挿通孔３に線材２２を挿通させる。
【００２３】
そして、線材２１及び線材２２を挿通させた複数の線材接続具１の夫々を、線材２１又は線材２２に沿って移動（例えば、線材２１に沿って移動（図２（ａ）矢印参照））させ、全体のバランスを整える。
【００２４】
そして、バランスを整えた後に、上述のように、挟み工具を用いて線材２１及び線材２２を各支持部４に固定する。これにより、一本の線材２１と線材２２とが接続される。さらに、複数の線材接続具１を用いて全体が所望の外形形状となるように接続作業を繰り返すことによって、図３に例示するような、立体的な造形物５の骨格が形成される。そして、この骨格に複数のＬＥＤ（図示しない）を配することによって造形物５が制作される。
【００２５】
このように、本実施形態の線材接続具１によると、全体のバランスを整えながら、複数の線材２を接続することが可能となる。したがって、本実施形態の線材接続具１によれば、複数の線材２によって形成される立体的な造形物５を制作する際に行う線材２の接続作業を、初心者等であっても容易に行うことができる
【００２６】
さらに、上述のように支持部４は塑性変形可能なアルミニウムによって形成されているため、複数の線材２を接続した状態で支持部４を塑性変形させて線材２の方向を変更することが可能である。したがって、接続後の微調整等を行うことができるため、より高い作業性の向上を図ることができる。
【００２７】
以上、本発明について好適な実施の形態を挙げて説明したが、本発明はこの実施の形態に限定されるものではなく、以下に示すように、本発明の要旨を逸脱しない範囲において、種々の改良及び設計の変更が可能である。
【００２８】
すなわち、本実施形態においては、二個の支持部４が互いに交叉した状態であり、夫々の支持部４の二箇所を塑性変形させたものを例示したが、これに限定されるものではない。例えば、二個の支持部４を具備し、全体が略Ｔ字形状（図４（ａ）参照）や略Ｌ字形状（図４（ｂ）参照）を呈するように構成され、両方又は一方の支持部４において塑性変形させる箇所を一箇所としたものであっても構わない。この場合にも、線材２を的確に支持部４に固定し、線材２同士を接続することができる。また、図４（ｃ）に示すように、三個の支持部４を具備し、夫々の支持部４が互いに交叉するように構成されているものであっても構わない。この場合は、三本の線材２が三次元的に交叉する箇所において使用することが好適である。
【００２９】
また、本実施形態においては、二個の支持部４が夫々の外周面にて溶接された状態のものを例示したが、これに限定されるものではない。例えば、鋳造や板金加工等によって、複数の支持部４が一体成形されたものであり、全体が略十字形状（図５（ａ）参照）、略Ｔ字形状（図５（ｂ）参照）、又は、略Ｌ字形状（図５（ｃ）参照）を呈するように構成されているものであっても構わない。この場合には、一の線材２の端部２ａが角度を形成して他の線材２の外周面又は端部２ａに当接する箇所において使用することが好適である。
【００３０】
また、本実施形態においては、支持部４の素材としてアルミニウムを例示したが、これに限定されるものではない。その他に、塑性変形可能な素材であれば、例えば、ステンレス、鉄、真鍮、亜鉛、又は銅等であっても構わない。
【図面の簡単な説明】
【００３１】
【図１】（ａ）は、本実施形態の線材接続具の構成を示す斜視図であり、（ｂ）は、線材接続具の構成を示す断面図であり、（ｃ）は、線材接続具の使用状態を示す斜視図である。
【図２】本実施形態の線材接続具の使用状態を示す斜視図である。
【図３】本実施形態の線材接続具の使用状態を示す側面図である。
【図４】線材接続具の他の実施の形態を示す斜視図である。
【図５】線材接続具の他の実施の形態を示す斜視図である。
【符号の説明】
【００３２】
１  線材接続具
２，２１，２２  線材
２ａ  端部
３  挿通孔
４  支持部
５  造形物
【図１】
2006297438.tif 000003
【図２】
2006297438.tif 000004
【図３】
2006297438.tif 000005
【図４】
2006297438.tif 000006
【図５】
2006297438.tif 000007